(57)【要約】      （修正有）【課題】蓋体と本体との間において、密封の効果が得られ、また、係合部品を回転することが容易であるため、ユーザーが児童や年寄りであっても、簡単に回転でき、そして、目で簡単に使用状態を検査できるため、ユーザーにとって、より実用的である密封蓋の構造を提供する。【解決手段】本体と係合部品及び蓋体が含有され、係合部品が回転自由に前記本体の外側に嵌設され、蓋体が前記本体に覆われ、蓋体に少なくとも一つの係合部が設けられ、係合部品が回転自由に係合部に係合し、これにより、密封蓋の構造改良が構成され、また、係合部品を回転することにより、係合部品が係合部に係合する。【選択図】図２
0003131158.tif 000002
【実用新案登録請求の範囲】
【請求項１】
本体と、
回転自由に前記本体の外側に嵌設される係合部品と、
前記本体に覆われ、少なくとも一つの前記係合部品が回転自由に係合する係合部が設けられる蓋体と、が含有されることを特徴とする密封蓋の構造改良。
【請求項２】
前記本体は、外へ伸ばす外縁が形成され、前記外縁に少なくとも一つの外縁凹槽が設けられ、前記係合部品に少なくとも一つの係合凹槽が設けられ、前記係合凹槽が選択的に前記外縁凹槽に対応することができ、前記係合部が前記外縁凹槽に挿設されることを特徴とする請求項１に記載の密封蓋の構造改良。
【請求項３】
前記蓋体内にリング状の座金が設けられ、前記座金が前記本体に抵当することを特徴とする請求項１に記載の密封蓋の構造改良。
【請求項４】
前記係合部品内にリング状の押し圧部が設けられ、前記押し圧部が回転自由に前記係合部に抵当することを特徴とする請求項１に記載の密封蓋の構造改良。
【請求項５】
前記係合部に係合突出が設けられ、前記押し圧部にリング状の係合凹槽が設けられ、前記係合凹槽が、回転自由に前記係合突出に係合されることを特徴とする請求項４に記載の密封蓋の構造改良。
【請求項６】
前記本体に、第１の連接部が設けられ、前記蓋体に第２の連接部が設けられ、前記第２の連接部が枢支軸により前記第１の連接部に枢着されることを特徴とする請求項１に記載の密封蓋の構造改良。
【請求項７】
前記枢支軸に弾性素子が嵌設され、前記弾性素子の両端が、それぞれ前記第１の連接部と前記第２の連接部に抵当することを特徴とする請求項６に記載の密封蓋の構造改良。
【請求項８】
前記係合部品の外部に、リング状の滑り止め部が設けられることを特徴とする請求項１に記載の密封蓋の構造改良。
【考案の詳細な説明】
【技術分野】
【０００１】
本考案は、密封蓋の構造改良に関し、特に、瓶の口に使用されて内部に収納される液体が外へ漏れることを防止する密封蓋構造に関する。
【背景技術】
【０００２】
従来の密封蓋の構造は、例えば中華民国特許公告番号：３９１９４（公告日付：１９８１年０９月０１日）に掲示されている「連合の瓶と螺旋蓋装置」があり、前記装置は、頂部の開口端と下へ伸ばす円柱端とが含有され、頂部に雄ねじが形成される瓶(a)と、内縁が筒状で、瓶の口を瓶頂に沿って緊密に密封するための雄ねじに対応するねじがある蓋装置(b)と、前記蓋装置を瓶頂に沿って所定の位置まで螺着して固定され、この所定の方式は、前記蓋装置の内縁において、前記雌ねじの下に内へ延伸する径方向突出が設けられ、前記瓶において、雄ねじの下に外凹槽が形成され、蓋装置が下へ向かって所定の位置まで回転されると、前記突出が前記凹槽に嵌入し、蓋装置が所定の位置に着くと、更に下へ向かって回転することが、弛めることにより難しくなる(c)と、また、前記瓶の開口端において、蓋装置が所定の位置まで回転されると、瓶の口と蓋装置との間にシールにより密封される(d)と、が含有される。
【０００３】
上記の従来の密封装置は、前記蓋装置を瓶の口に対して締まり止める力により、前記シールが瓶の口に圧迫して密封の効果が得られるが、比較的に大きい力で締まり止めないと、密封の効果が得られず、例えばユーザーが児童や年寄りであれば、締まり止める力が足りないため、そして、使用状態を容易に検査できないため、瓶内の液体が漏れる恐れがある。
【０００４】
本考案者は、上記の欠点を改善するため、慎重に研究して、また、学理に合わせて、設計が合理てきで、また、有効的に上記の欠点を改善できる本考案を提案する。
【考案の開示】
【考案が解決しようとする課題】
【０００５】
本考案の主な目的は、係合部品を回転して、係合部品を係合部に係合させることにより、蓋体と本体との間において密封の効果が得られ、また、係合部品を回転することが容易であるため、ユーザーが児童や年寄りであっても簡単に回転でき、また、目で簡単に使用状態を検査できるため、ユーザーが使用する時の便利性が向上される密封蓋の構造改良を提供する。
【課題を解決するための手段】
【０００６】
本考案は、上記の目的を達成するため、本体と、回転自由に前記本体の外側に嵌設される係合部品と、前記本体に覆われ、少なくとも一つの、前記係合部品が回転自由に係合する係合部が設けられる蓋体と、が含有される密封蓋の構造改良である。
【考案を実施するための最良の形態】
【０００７】
以下、図面を参照しながら、本考案の特長と技術内容について詳しく説明し、本考案は、それらの図面などによって制限されることがない。
【０００８】
図１と図２及び図３のように、本考案は、本体２と蓋体３及び係合部品４が含有される密封蓋の構造改良であり、瓶体１の瓶の口に設置されて、前記密封蓋により密封状態なると、瓶体１内の液体が漏れることがない。
【０００９】
本体２は、リング状で、瓶体１の瓶の口に固定設置され、第１の連接部２１と外縁２２が設けられる。第１の連接部２１は、本体２の一側から外へ延伸することにより形成され、本体２は、第１の連接部２１により蓋体３に連接される。外縁２２は、本体２から外へ延伸することにより形成され、本体２の外部を囲むように設置され、外縁２２において、前側の凹みに外縁凹槽２２１が形成される。
【００１０】
蓋体３は、本体２の上方に覆われ、係合部３１と第２の連接部３２が設けられる。係合部３１は、本体２の一側から下へ延伸することにより形成され、係合部３１の自由端が外縁凹槽２２１内に挿設され、係合部３１は、外へ突出する係合突出３１１が設けられ、係合突出３１１により、係合部品４と係合する。
【００１１】
第２の連接部３２は、蓋体３のもう一側から外へ延伸すことにより形成され、枢支軸３２１により本体２の第１の連接部２１に枢着され、第２の連接部３２が第１の連接部２１に対して回転することにより、蓋体３が、選択的に本体２に覆われる。また、蓋体３の内部に、リング状の座金３３が設けられ、座金３３は、弾性ゴム材質からなり、蓋体３を本体２に覆うことにより、座金３３が、緊密に本体２に抵当して、密封の目的が達成される。
【００１２】
係合部品４は、リング状で、回転自由に本体２の外部に嵌設され、係合凹槽４１と押し圧部４２が設けられる。係合部品４を回転することにより、係合凹槽４１を外縁凹槽２２１に対応させることを選択でき、蓋体３を本体２に覆う時、係合部３１が、係合凹槽４１により、外縁凹槽２２１内に創設される。押し圧部４２は、係合部品４の内部から外へ向かって形成された凹みであり、係合部品４の内部に設置され、また、リング状の係合凹槽４２１が設けられ、そして、回転自由に係合部３１に抵当し、これにより係合凹槽４２１が、回転自由に係合部３１の係合突出３１１に係合でき、そして、係合部品４が、回転自由に係合部３１に係合できる。
【００１３】
また、係合部品４の外部に、リング状の滑り止め部４３が設けられ、これによりユーザーが手で係合部品４を回転する時、滑ることがない。また、第２の連接部３２の枢支軸３２１に、弾性素子３４が嵌設され、弾性素子３４は、トーションスプリングで、両端が、それ第１の連接部２１と第２の連接部３２に抵当し、これにより蓋体３を上へ回転させる力を供給し、上記の構造に本考案に係わる密封蓋の構造改良が構成される。
【００１４】
図４を参照しながら、瓶体１の瓶の口を密封する時、まず、係合部品４の係合凹槽４１を外縁２２の外縁凹槽２２１に対応させ、また、蓋体３を下へ押して本体２に覆うことにより、蓋体３の係合部３１が、外縁凹槽２２１内に挿設されて、また、蓋体３の座金３３が、緊密的に本体２に抵当する。更に、係合部品４を回転すると、係合部品４の押し圧部４２が、係合部３１に抵当する同時に、押し圧部４２の係合凹槽４２１が、１の係合突出３１１に係合し、これにより瓶体１の瓶の口が密封される。
【００１５】
瓶体１の瓶の口を開放する時、係合部品４を回転することにより、係合凹槽４１が外縁凹槽２２１に対応するようになり、そして、係合凹槽４２１が、係合突出３１１から脱離し、この時、蓋体３が、弾性素子３４の作用により上へ回転されて、瓶体１の瓶の口が開放状態になる。
【００１６】
本考案に係わる密封蓋の構造改良によれば、係合部品４を回転することにより、係合部品４が係合部３１に係合し、そして、蓋体３と本体２との間において、密封の効果が実現され、また、係合部品４を回転する必要である力が比較的に小さいため、ユーザーが児童や年寄りであっても、簡単に係合部品４を回転できる。また、目で簡単に使用状態を検査できるため、ユーザーにとってより実用的である。
【００１７】
以上は、ただ、本考案のより良い実施例であり、本考案は、それによって制限されず、本考案に係わる明細書や図面の内容に従って行う等価の変更や修正は、全てが、本考案に係わる実用新案登録請求の範囲内に含まれる。
【図面の簡単な説明】
【００１８】
【図１】本考案に係わる密封蓋の構造改良の実施例の立体図である。
【図２】本考案に係わる密封蓋の構造改良の実施例の立体分解図である。
【図３】本考案に係わる密封蓋の構造改良の実施例の断面概念図である。
【図４】本考案に係わる密封蓋の構造改良の実施例の作動概念図である。
【符号の説明】
【００１９】
１      瓶体
２      本体
２１    第１の連接部
２２    外縁
２２１  外縁凹槽
３      蓋体
３１    係合部
３１１  係合突出
３２    第２の連接部
３２１  枢支軸
３３    座金
３４    弾性素子
４      係合部品
４１    係合凹槽
４２    押し圧部
４２１  係合凹槽
４３    滑り止め部
【図１】
0003131158.tif 000003
【図２】
0003131158.tif 000004
【図３】
0003131158.tif 000005
【図４】
0003131158.tif 000006
【手続補正書】
【提出日】平成19年2月7日(2007.2.7)
【手続補正１】
【補正対象書類名】実用新案登録請求の範囲
【補正対象項目名】全文
【補正方法】変更
【補正の内容】
【実用新案登録請求の範囲】
【請求項１】
本体と、
回転自由に前記本体の外側に嵌設される係合部品と、
前記本体に覆われ、少なくとも一つの前記係合部品が回転自由に係合する係合部が設けられる蓋体と、が含有されることを特徴とする密封蓋。
【請求項２】
前記本体は、外へ伸ばす外縁が形成され、前記外縁に少なくとも一つの外縁凹槽が設けられ、前記係合部品に少なくとも一つの係合凹槽が設けられ、前記係合凹槽が選択的に前記外縁凹槽に対応することができ、前記係合部が前記外縁凹槽に挿設されることを特徴とする請求項１に記載の密封蓋。
【請求項３】
前記蓋体内にリング状の座金が設けられ、前記座金が前記本体に抵当することを特徴とする請求項１に記載の密封蓋。
【請求項４】
前記係合部品内にリング状の押し圧部が設けられ、前記押し圧部が回転自由に前記係合部に抵当することを特徴とする請求項１に記載の密封蓋。
【請求項５】
前記係合部に係合突出が設けられ、前記押し圧部にリング状の係合凹槽が設けられ、前記係合凹槽が、回転自由に前記係合突出に係合されることを特徴とする請求項４に記載の密封蓋。
【請求項６】
前記本体に、第１の連接部が設けられ、前記蓋体に第２の連接部が設けられ、前記第２の連接部が枢支軸により前記第１の連接部に枢着されることを特徴とする請求項１に記載の密封蓋。
【請求項７】
前記枢支軸に弾性素子が嵌設され、前記弾性素子の両端が、それぞれ前記第１の連接部と前記第２の連接部に抵当することを特徴とする請求項６に記載の密封蓋。
【請求項８】
前記係合部品の外部に、リング状の滑り止め部が設けられることを特徴とする請求項１に記載の密封蓋。